(57)【特許請求の範囲】
【請求項１】
ドレイン受皿と該ドレイン受皿から連成された排水管部とを備え、コンクリートの表面に埋設されて固定されるルーフドレインのドレイン本体を、次の順序により、コンクリートに着脱可能に埋設固定するドレイン本体の固定方法。
イ）  ドレイン本体と略同一形状に形成され、裏面には、ドレイン受皿に形成された複数の透孔に夫々一致する位置に、雌螺子孔を備えたアンカー部材が螺子によって予め保持された抜き型体を、コンクリートの打設前にコンクリート型枠に仮固定する。
ロ）  抜き型体を仮固定したままの状態で、コンクリート型枠内にコンクリートを打設する。
ハ）  コンクリートが硬化したら、コンクリート型枠を取り外し、抜き型体の裏面のアンカー部材を保持している螺子を取り外して、抜き型体を除去し、これにより、硬化したコンクリートの表面にドレイン受皿と略同一形状の装入凹所を形成し、かつ装入凹所の内底面にアンカー部材を埋入する。
ニ）  装入凹所内にドレイン本体のドレイン受皿を装入し、該ドレイン受皿の透孔に表面側から挿通した固定螺子を、アンカー部材の雌螺子孔に夫々螺合することによって、ドレイン本体を固定する。
【発明の詳細な説明】
【０００１】
【発明の属する技術分野】
本発明は、コンクリートの表面に埋設されるルーフドレインのドレイン本体や蓋受け枠等のコンクリート埋設型設備器材を、建造物の解体時において、コンクリートから簡単に分離し得るようにしたコンクリート埋設型設備器材の固定方法及びコンクリート埋設型設備器材の固定装置に関する。
【０００２】
【従来の技術】
図１８に、従来のコンクリート埋設型設備器材の一例として、打込型ルーフドレインａの施工状態を示す。該打込型ルーフドレインａは、ドレイン受皿ｃと排水管部ｄとからなるドレイン本体ｂの、そのドレイン受皿ｃの裏面に、略Ｌ形に屈成された複数のアンカーｅを備えている。この打込型ルーフドレインａを施工する場合には、ドレイン受皿ｃを図示しない仮固定装置によってコンクリート型枠上に仮固定した状態で、ドレイン受皿ｃの周囲にコンクリートを打設する。これにより、硬化したコンクリートｐ内にアンカーｅが埋入され、該アンカーｅの固定作用を介してドレイン本体ｂをコンクリートｐに固定するようにしている。
【０００３】
【発明が解決しようとする課題】
ところで、従来の打込型ルーフドレインａ等のコンクリート埋設型設備器材が設置された建造物の撤去や建て直し，或い改修等に際して、該建造物を解体すると、上記のように、ドレイン本体ｂが略Ｌ形のアンカーｅによってコンクリートｐに強固に固定されているため、該ドレイン本体ｂをコンクリートｐから簡単に分離することができず、廃棄物の分別ができないという問題点があった。即ち、建設リサイクル法における建築解体廃棄物リサイクルプログラムで課題に挙げられている廃棄物の再資源化に対応し得ないという問題点があった。
【０００４】
本発明は、かかる問題点を解消することを目的とするものである。
【０００５】
【課題を解決するための手段】
本発明は、コンクリートの表面に埋設されて、下面に備えたアンカーによってコンクリートに固定されるコンクリート埋設型設備器材において、コンクリートの表面に、コンクリート埋設型設備器材と略同一形状の装入凹所を形成するとともに、該装入凹所の内底面に固定螺子を螺合し得る雌螺子孔を備えたアンカー部材を埋入し、コンクリート埋設型設備器材に表面側から挿通した固定螺子を前記アンカー部材の雌螺子孔に螺合することによって、前記装入凹所内に装入したコンクリート埋設型設備器材を着脱可能に固定するようにしたことを特徴とするコンクリート埋設型設備器材の固定方法である。
【０００６】
ここで、上記装入凹所は、コンクリートの打設時に、コンクリート埋設型設備器材と略同一形状の抜き型体を用いて形成することができ、該抜き型体の裏面にアンカー部材を螺子止めした状態でコンクリートを打設することにより、硬化したコンクリート内にアンカー部材を埋入させることができる。
【０００７】
かかる構成にあって、コンクリート埋設型設備器材が、アンカー部材の雌螺子孔に螺合した固定螺子によってコンクリートの装入凹所内に固定されていることにより、建造物の解体時において、前記固定螺子を取り外せば、コンクリート埋設型設備器材をコンクリートから簡単に分離させることができる。
【０００８】
また、前記コンクリート埋設型設備器材が、ドレイン受皿と該ドレイン受皿から下方に連成された排水管部とを備えた縦引き排水用ルーフドレインのドレイン本体である場合には、該ドレイン本体のドレイン受皿に表面側から挿通した固定螺子を、アンカー部材の雌螺子孔に螺合させることにより、ドレイン本体を着脱可能に固定することができる。
【０００９】
さらに、コンクリート埋設型設備器材が、水平縁部と垂直縁部とにより断面略Ｌ形に形成されたドレイン受皿と、該ドレイン受皿の垂直縁部から後方に連成された排水管部とを備えた横引き排水用ルーフドレインのドレイン本体である場合にあっても、該ドレイン本体のドレイン受皿に表面側から挿通した固定螺子を、アンカー部材の雌螺子孔に螺合させることにより、ドレイン本体を着脱可能に固定することができる。
【００１０】
また、本発明には、コンクリートの表面に埋設されて、下面に備えたアンカーによってコンクリートに固定されるコンクリート埋設型設備器材において、コンクリート埋設型設備器材に表面側から挿通される固定螺子と、該固定螺子を螺合し得る雌螺子孔を具備し、コンクリート内に埋入されることとなるアンカー部材とを備え、該アンカー部材の雌螺子孔に前記固定螺子を螺合させることによって、アンカー部材をコンクリート埋設型設備器材の裏面に保持したことを特徴とするコンクリート埋設型設備器材の固定装置が用いられる。
【００１１】
かかる構成にあって、アンカー部材を裏面に保持したコンクリート埋設型設備器材を、コンクリート型枠上に仮固定した状態で、コンクリート埋設型設備器材の周囲にコンクリートを打設することにより、硬化したコンクリート内に埋入されるアンカー部材によって、コンクリート埋設型設備器材が取り外し可能に固定される。そして、建造物の解体時において、前記アンカー部材に螺合されている固定螺子を取り外すことにより、コンクリート埋設型設備器材をコンクリートから簡単に離脱させることができる。
【００１２】
上記構成にあって、コンクリート埋設型設備器材が、ドレイン受皿と該ドレイン受皿から下方に連成された排水管部とを備えた縦引き排水用ルーフドレインのドレイン本体である場合には、該ドレイン本体のドレイン受皿に表面側から挿通した固定螺子を、アンカー部材の雌螺子孔に螺合させることによって、アンカー部材をドレイン受皿の裏面に保持させることができる。
【００１３】
また、コンクリート埋設型設備器材が、水平縁部と垂直縁部とにより断面略Ｌ形に形成されたドレイン受皿と、該ドレイン受皿の垂直縁部から後方に連成された排水管部とを備えた横引き排水用ルーフドレインのドレイン本体である場合にあっても、該ドレイン本体のドレイン受皿に表面側から挿通した固定螺子を、アンカー部材の雌螺子孔に螺合させることによって、アンカー部材をドレイン受皿の裏面に保持させることができる。
【００１４】
【発明の実施の形態】
以下に、本発明の具体的な実施例を添付図面について説明する。
図１〜図３は、本発明にかかるコンクリート埋設型設備器材の固定方法の第一実施例を示し、この実施例は、コンクリート埋設型設備器材として、縦引き排水用ルーフドレインのドレイン本体１Ａに対して本発明にかかる固定方法を適用した場合を示すものである。
【００１５】
縦引き排水用ルーフドレインのドレイン本体１Ａは、図３に示すように、ドレイン受皿２と、該ドレイン受皿２の中央に開口された排水孔３を囲繞するようにして下方に連成された排水管部４とを備えており、このドレイン本体１Ａのドレイン受皿２には、表面側から固定螺子６を挿通し得る複数の透孔５が周方向に沿って形成されている。
【００１６】
上記ドレイン本体１Ａをコンクリートｐの表面に埋設して固定するには、まず、図１に示すように、ドレイン本体１Ａと略同一形状に形成された抜き型体７Ａを、コンクリートの打設前に仮固定装置８によってコンクリート型枠９に仮固定する。
【００１７】
ここで、抜き型体７Ａの裏面には、ドレイン本体１Ａのドレイン受皿２に形成された複数の透孔５（図３参照）に夫々一致する位置に、同図に示す固定螺子６を螺合し得る雌螺子孔１１を備えたアンカー部材１０が螺子１２によって予め保持されている。
【００１８】
一方、コンクリート型枠９の上面には、仮固定装置８を構成する円形の位置決め板１３が釘１４等によって固定されており、該位置決め板１３に下端を外嵌した筒状スペーサ１５上に前記抜き型体７Ａが載置されている。さらに、位置決め板１３の中央にはナットを固着してなる雌螺子部１６が設けられ、該雌螺子部１６に下端を螺着することにより螺子杆１７が立設されている。また、前記抜き型体７Ａの外周縁の上面には、抜き型体７Ａを覆うようにして養生蓋を兼ねた挟圧板１８が乗載されている。そして、抜き型体７Ａと挟圧板１８とに夫々形成された挿通孔１９，２０に前記螺子杆１７を下方から挿通させ、挟圧板１８上に突出する螺子杆１７の上端部にナット２１を螺着して、その緊締作用により、抜き型体７Ａをコンクリート型枠９に仮固定するようにしている。そして、これらの位置決め板１３，螺子杆１７，挟圧板１８，ナット２１及び筒状スペーサ１５等により、仮固定装置８が構成されている。
【００１９】
上記のように仮固定装置８によって抜き型体７Ａを仮固定した状態でコンクリート型枠９内にコンクリートを打設する。そして、該コンクリートが硬化したら、ナット２１を緩めて挟圧板１８を除去した後、コンクリート型枠９を取り外すと位置決め板１３及び螺子杆１７も同時に除去される。次いで、図２に示すように、抜き型体７Ａの裏面にアンカー部材１０を保持している螺子１２を取り外して、抜き型体７Ａを除去する。ここで、該抜き型体７Ａの外面に予め剥離剤を塗布しておくことにより、抜き型体７Ａを簡単に除去することができ、コンクリートに接合されたアンカー部材１０のみを硬化したコンクリートｐ内に残留させることができる。これにより、硬化したコンクリートｐの表面にドレイン受皿２と略同一形状の装入凹所２２を形成し、その形成と同時に装入凹所２２の内底面にアンカー部材１０を埋入させるようにしている。
【００２０】
そして、図３に示すように、装入凹所２２内にドレイン本体１Ａのドレイン受皿２を装入し、該ドレイン受皿２の透孔５に表面側から挿通した固定螺子６を、アンカー部材１０の雌螺子孔１１に夫々螺合することによって、ドレイン本体１Ａを着脱可能に固定する。
【００２１】
このようにドレイン本体１Ａを固定した状態で、該ドレイン本体１Ａを除く周囲のコンクリートｐ上にシート防水層２３を敷設して、該シート防水層２３の縁部を、図１２に示すように、ドレイン受皿２の上面と防水層押え盤３３とで挟持させ、該防水層押え盤３３にストレーナ３４を被着するとともに、ドレイン本体１Ａの排水管部４に樋管３５を接続することにより、ドレイン本体１Ａの取付施工が完了する、然る後、該ドレイン本体１Ａは、雨水等の排水の用に供されることとなる。
【００２２】
かかる構成にあって、ドレイン本体１Ａのドレイン受皿２が、アンカー部材１０の雌螺子孔１１に螺合した固定螺子６によってコンクリートｐの装入凹所２２内に着脱可能に固定されていることにより、建造物の解体時において、前記固定螺子６を取り外せば、ドレイン本体１Ａをコンクリートｐから簡単に分離させることができる。
【００２３】
図４〜図６は、本発明にかかるコンクリート埋設型設備器材の固定方法の第二実施例を示し、この実施例では、コンクリート埋設型設備器材として、横引き排水用ルーフドレインのドレイン本体１Ｂに対して本発明にかかる固定方法が適用されている。
【００２４】
横引き排水用ルーフドレインのドレイン本体１Ｂは、図６に示すように、水平縁部２ａと垂直縁部２ｂとにより断面略Ｌ形に形成されたドレイン受皿２と、該ドレイン受皿２の垂直縁部２ｂから後方に連成された排水管部４とを備えており、このドレイン受皿２の水平縁部２ａと垂直縁部２ｂとに、表面側から固定螺子６を挿通し得る複数の透孔５が夫々形成されている。
【００２５】
上記ドレイン本体１Ｂをコンクリートｐの表面に埋設して固定するには、まず、図４に示すように、ドレイン本体１Ｂと略同一形状に形成された抜き型体７Ｂを、コンクリートの打設前に仮固定装置８によってコンクリート型枠９に仮固定する。
【００２６】
ここで、抜き型体７Ｂは、ドレイン本体１Ｂの形状に対応させて、水平縁部２４ａと垂直縁部２４ｂとにより断面略Ｌ形に形成されたドレイン受皿対応部２４と、垂直縁部２４ｂから後方に連成された排水管対応部２５とを備えており、水平縁部２４ａ及び垂直縁部２４ｂの裏面には、前記ドレイン受皿２の水平縁部２ａと垂直縁部２ｂとに形成された複数の透孔５（図６参照）に夫々一致する位置に、同図に示す固定螺子６を螺合し得る雌螺子孔１１を備えたアンカー部材１０が螺子１２によって予め保持されている。
【００２７】
一方、上下方向に配設されたコンクリート型枠９の前面には、仮固定装置８を構成する円形の位置決め板１３が釘１４等によって固定されており、該位置決め板１３に基端を外嵌して略水平状に配設される筒状スペーサ１５の先端に前記抜き型体７Ｂの排水管対応部２５の後端が内嵌されている。また、位置決め板１３の中央に設けられた雌螺子部１６に基端を螺着した螺子杆１７が前方に向けて略水平状に突設されている。そして、抜き型体７Ｂの側壁部２６に形成された挿通孔１９に前記螺子杆１７を挿通させ、該側壁部２６の前面に突出する螺子杆１７の先端部にナット２１を螺着して、その緊締作用により、抜き型体７Ｂをコンクリート型枠９に仮固定するようにしている。さらに、抜き型体７Ｂのドレイン受皿対応部２４の外周縁には、該ドレイン受皿対応部２４を覆う養生シート２７が被着される。そして、これらの位置決め板１３，螺子杆１７，ナット２１及び筒状スペーサ１５等により、仮固定装置８が構成されている。
【００２８】
尚、抜き型体７Ｂの垂直縁部２４ｂの周囲には、前記コンクリート型枠９と対をなすコンクリート型枠９’が配設されるとともに、抜き型体７Ｂの水平縁部２４ａの下方にもコンクリート型枠（図示省略）が水平状に配設され、該コンクリート型枠の上部、及び前記両コンクリート型枠９，９’間をコンクリートの充填空隙としている。
【００２９】
上記のように仮固定装置８によって抜き型体７Ｂを仮固定した状態で抜き型体７Ｂの周囲の充填空隙にコンクリートを打設する。そして、該コンクリートが硬化したら、養生シート２７を除去するとともに、ナット２１を緩めて除去した後、コンクリート型枠９を取り外すと位置決め板１３及び螺子杆１７も同時に除去される。次いで、図５に示すように、抜き型体７Ｂの裏面にアンカー部材１０を保持している螺子１２を取り外して、抜き型体７Ｂを除去する。ここで、上述したように抜き型体７Ｂの外面に予め剥離剤を塗布しておくことにより、抜き型体７Ｂを簡単に除去することができ、コンクリートに接合されたアンカー部材１０のみを硬化したコンクリートｐ内に残留させることができる。これにより、硬化したコンクリートｐの表面にドレイン受皿２と略同一形状の装入凹所２２を形成し、その形成と同時に装入凹所２２の内底面にアンカー部材１０を埋入させるようにしている。
【００３０】
そして、図６に示すように、装入凹所２２内にドレイン本体１Ｂのドレイン受皿２を装入し、該ドレイン受皿２の透孔５に表面側から挿通した固定螺子６を、アンカー部材１０の雌螺子孔１１に夫々螺合することによって、ドレイン本体１Ｂを着脱可能に固定する。
【００３１】
然る後、ドレイン本体１Ｂを除く周囲のコンクリートｐ上にシート防水層２３を敷設して、該シート防水層２３の縁部を、図１６に示すように、ドレイン受皿２の上面と防水層押え盤３３とで挟持させるとともに、該防水層押え盤３３にストレーナ３４を被着する。また、ドレイン本体１Ｂの排水管部４には樋管３５が接続される。これにより、ドレイン本体１Ｂの取付施工が完了し、該ドレイン本体１Ｂは、雨水等の排水の用に供されることとなる。
【００３２】
かかる構成にあって、ドレイン本体１Ｂのドレイン受皿２が、アンカー部材１０の雌螺子孔１１に螺合した固定螺子６によってコンクリートｐの装入凹所２２内に着脱可能に固定されていることにより、建造物の解体時において、前記固定螺子６を取り外せば、ドレイン本体１Ｂをコンクリートｐから簡単に分離させることができる。
【００３３】
図７〜図９は、本発明にかかるコンクリート埋設型設備器材の固定方法の第三実施例を示し、この実施例は、コンクリート埋設型設備器材として、マンホール鉄蓋の蓋受け枠１Ｃに対して本発明にかかる固定方法を適用した場合を示すものである。
【００３４】
この蓋受け枠１Ｃは、図９に示すように、内側縁にマンホール鉄蓋２８の外周縁２９を乗載し得る略Ｕ形の受け縁部３０を備え、かつ該受け縁部３０の上部に外側方に突出する水平縁部３１が連成されており、該水平縁部３１には、表面側から固定螺子６を挿通し得る複数の透孔５が周方向に沿って形成されている。
【００３５】
上記蓋受け枠１Ｃをコンクリートｐの表面に埋設して固定するには、まず、図７に示すように、蓋受け枠１Ｃと略同一形状に形成された抜き型体７Ｃを、コンクリートの打設前に仮固定装置８によってコンクリート型枠９に仮固定する。
【００３６】
ここで、抜き型体７Ｃの裏面には、蓋受け枠１Ｃの水平縁部３１に形成された複数の透孔５（図９参照）に夫々一致する位置に、同図に示す固定螺子６を螺合し得る雌螺子孔１１を備えたアンカー部材１０が螺子１２によって予め保持されている。尚、抜き型体７Ｃをコンクリート型枠９に仮固定する仮固定装置８は、位置決め板１３，螺子杆１７，ナット２１及び筒状スペーサ１５等からなる上述した仮固定装置８と略同じ構成のものが用いられている。
【００３７】
上記のように仮固定装置８によって抜き型体７Ｃを仮固定した状態でコンクリート型枠９内にコンクリートを打設する。そして、該コンクリートが硬化したら、ナット２１を緩めて位置決め板１３及び螺子杆１７とともにコンクリート型枠９を取り外した後、筒状スペーサ１５を除去する。次いで、図８に示すように、抜き型体７Ｃの裏面にアンカー部材１０を保持している螺子１２を取り外して、抜き型体７Ｃを除去する。ここで、該抜き型体７Ｃの外面に予め剥離剤を塗布しておくことにより、抜き型体７Ｃを簡単に除去することができ、コンクリートに接合されたアンカー部材１０のみを硬化したコンクリート内に残留させることができる。これにより、硬化したコンクリートｐの表面に蓋受け枠１Ｃと略同一形状の装入凹所２２を形成し、その形成と同時に装入凹所２２の内底面にアンカー部材１０を埋入させるようにしている。
【００３８】
そして、図９に示すように、装入凹所２２内に蓋受け枠１Ｃを装入し、該蓋受け枠１Ｃの透孔５に表面側から挿通した固定螺子６を、アンカー部材１０の雌螺子孔１１に夫々螺合することによって、蓋受け枠１Ｃを着脱可能に固定する。この蓋受け枠１Ｃにマンホール鉄蓋２８を被着することにより、マンホールの開口部が遮蔽されることとなる。
【００３９】
かかる構成にあって、蓋受け枠１Ｃが、アンカー部材１０の雌螺子孔１１に螺合した固定螺子６によってコンクリートｐの装入凹所２２内に着脱可能に固定されていることにより、路面等の構築物の解体時において、前記固定螺子６を取り外せば、蓋受け枠１Ｃをコンクリートｐから簡単に分離させることができる。
【００４０】
尚、この実施例では、コンクリート埋設型設備器材をマンホール鉄蓋の蓋受け枠として説明したが、本発明にかかるコンクリート埋設型設備器材の固定方法は、フロアーハッチ，グレーチング蓋等の蓋受け枠にも適用可能である。
【００４１】
図１０〜図１３は、本発明にかかるコンクリート埋設型設備器材の固定装置の第一実施例を示し、この実施例は、コンクリート埋設型設備器材として、縦引き排水用ルーフドレインのドレイン本体１Ａに対して本発明にかかる固定装置３２を適用した場合を示すものである。
【００４２】
縦引き排水用ルーフドレインのドレイン本体１Ａは、図１０に示すように、ドレイン受皿２と、該ドレイン受皿２の中央に開口された排水孔３を囲繞するようにして下方に連成された排水管部４とを備えている。このドレイン本体１Ａのドレイン受皿２には複数の透孔５が周方向に沿って形成されており、該透孔５に固定螺子６を表面側から挿通し得るようになっている。また、ドレイン受皿２の裏面には、コンクリート内に埋入されることとなる複数のアンカー部材１０が配設されている。各アンカー部材１０は、前記固定螺子６を螺合し得る雌螺子孔１１を備えており、該雌螺子孔１１に、ドレイン受皿２の透孔５に表面側から挿通した固定螺子６を螺合させることによって各アンカー部材１０をドレイン受皿２の裏面に保持するようにしている。そして、この固定螺子６とアンカー部材１０とによって固定装置３２が構成されている。
【００４３】
次に、かかる固定装置３２を備えた縦引き排水用ルーフドレインのドレイン本体１Ａの施工方法について説明する。該ドレイン本体１Ａは、図１０に示すように、コンクリートの打設前に仮固定装置８によってコンクリート型枠９に仮固定される。ここで、該仮固定装置８は、位置決め板１３，螺子杆１７，挟圧板１８，ナット２１及び筒状スペーサ１５等からなる上述した仮固定装置８と略同じ構成のものが用いられる。
【００４４】
上記のように仮固定装置８によってドレイン本体１Ａを仮固定した状態で、図１１イに示すように、コンクリート型枠９内にコンクリートを打設する。そして、該コンクリートが硬化したら、図１１ロに示すように、ナット２１を緩めて挟圧板１８を除去した後、位置決め板１３及び螺子杆１７とともにコンクリート型枠９を取り外す。ここで、ドレイン受皿２の外面に予め剥離剤を塗布しておくことにより、該ドレイン受皿２が硬化したコンクリートｐに接合されることを防止することができ、アンカー部材１０だけが硬化したコンクリートｐに接合されることとなる。これによって、コンクリートｐの表面にドレイン本体１Ａが埋設され、かつ該ドレイン本体１Ａをコンクリートｐ内に埋入されたアンカー部材１０によって取り外し可能に固定することができる。
【００４５】
このようにドレイン本体１Ａを固定した状態で、図１２に示すように、該ドレイン本体１Ａを除く周囲のコンクリートｐ上にシート防水層２３を敷設して、該シート防水層２３の縁部を、ドレイン受皿２の上面と防水層押え盤３３とで挟持させ、該防水層押え盤３３にストレーナ３４を被着するとともに、ドレイン本体１Ａの排水管部４に樋管３５を接続することにより、ドレイン本体１Ａの取付施工が完了する、然る後、該ドレイン本体１Ａは、雨水等の排水の用に供されることとなる。
【００４６】
かかる構成にあって、ドレイン本体１Ａは、そのドレイン受皿２が、アンカー部材１０の雌螺子孔１１に螺合した固定螺子６によってコンクリートｐ内に取り外し可能に固定されていることにより、建造物の解体時において、図１３イに示すように、ストレーナ３４，防水層押え盤３３，シート防水層２３及び樋管３５（図１２参照）を除去した状態で、前記固定螺子６を取り外せば、図１３ロに示すように、ドレイン本体１Ａをコンクリートｐから簡単に分離させることができる。
【００４７】
図１４〜図１７は、本発明にかかるコンクリート埋設型設備器材の固定装置の第二実施例を示し、この実施例では、コンクリート埋設型設備器材として、横引き排水用ルーフドレインのドレイン本体１Ｂに対して本発明にかかる固定装置３２が適用されている。
【００４８】
縦引き排水用ルーフドレインのドレイン本体１Ｂは、図１４に示すように、水平縁部２ａと垂直縁部２ｂとにより断面略Ｌ形に形成されたドレイン受皿２と、該ドレイン受皿２の垂直縁部２ｂから後方に連成された排水管部４とを備えている。このドレイン受皿２の水平縁部２ａと垂直縁部２ｂとに、表面側から固定螺子６を挿通し得る複数の透孔５が夫々形成されている。また、ドレイン受皿２の裏面には、コンクリート内に埋入されることとなる複数のアンカー部材１０が配設されている。各アンカー部材１０は、前記固定螺子６を螺合し得る雌螺子孔１１を備えており、該雌螺子孔１１に、ドレイン受皿２の透孔５に表面側から挿通した固定螺子６を螺合させることによって各アンカー部材１０をドレイン受皿２の裏面に保持するようにしている。そして、この固定螺子６とアンカー部材１０とによって固定装置３２が構成されている。
【００４９】
かかる固定装置３２を備えた縦引き排水用ルーフドレインのドレイン本体１Ｂを施工するには、図１４に示すように、該ドレイン本体１Ｂを、コンクリートの打設前に仮固定装置８によってコンクリート型枠９に仮固定する。ここで、該仮固定装置８は、位置決め板１３，螺子杆１７，挟圧板１８，ナット２１及び筒状スペーサ１５等からなる上述した仮固定装置８と略同じ構成のものが用いられる。
【００５０】
尚、ドレイン受皿２の垂直縁部２ｂの周囲には、前記コンクリート型枠９と対をなすコンクリート型枠９’が配設されるとともに、ドレイン受皿２の水平縁部２ａの下方にもコンクリート型枠（図示省略）が水平状に配設され、該コンクリート型枠の上部、及び前記両コンクリート型枠９，９’間がコンクリートの充填空隙となっている。また、ドレイン受皿２の外周縁には、該ドレイン受皿２を覆う養生シート２７が被着される。
【００５１】
上記のように仮固定装置８によってドレイン本体１Ｂを仮固定した状態で、図１５イに示すように、ドレイン本体１Ｂの周囲の充填空隙にコンクリートを打設する。そして、該コンクリートが硬化したら、図１５ロに示すように、養生シート２７を除去するとともに、ナット２１を緩めて挟圧板１８を除去した後、位置決め板１３及び螺子杆１７とともにコンクリート型枠９を取り外す。ここで、ドレイン受皿２の外面に予め剥離剤を塗布しておくことにより、該ドレイン受皿２が硬化したコンクリートｐに接合されることを防止することができ、アンカー部材１０だけが硬化したコンクリートｐに接合されることとなる。これによって、コンクリートｐの表面にドレイン本体１Ｂが埋設され、かつ該ドレイン本体１Ｂをコンクリートｐ内に埋入されたアンカー部材１０によって取り外し可能に固定することができる。
【００５２】
このようにドレイン本体１Ｂを固定した状態で、図１６に示すように、該ドレイン本体１Ｂを除く周囲のコンクリートｐ上にシート防水層２３を敷設して、該シート防水層２３の縁部を、ドレイン受皿２の上面と防水層押え盤３３とで挟持させ、該防水層押え盤３３にストレーナ３４を被着するとともに、ドレイン本体１Ｂの排水管部４に樋管３５を接続することにより、ドレイン本体１Ｂの取付施工が完了する、然る後、該ドレイン本体１Ｂは、雨水等の排水の用に供されることとなる。
【００５３】
かかる構成にあって、ドレイン本体１Ｂは、そのドレイン受皿２が、アンカー部材１０の雌螺子孔１１に螺合した固定螺子６によってコンクリートｐ内に取り外し可能に固定されていることにより、建造物の解体時において、図１７イに示すように、ストレーナ３４，防水層押え盤３３，シート防水層２３及び樋管３５（図１６参照）を除去した状態で、前記固定螺子６を取り外せば、図１７ロに示すように、ドレイン本体１Ｂをコンクリートｐから簡単に分離させることができる。
【００５４】
尚、上記両実施例では、コンクリート埋設型設備器材をルーフドレインのドレイン本体１Ａ，１Ｂとして説明したが、本発明にかかるコンクリート埋設型設備器材の固定装置は、マンホール鉄蓋，フロアーハッチ，グレーチング蓋等のコンクリート打込型の蓋受け枠にも適用可能である。
【００５５】
【発明の効果】
上述したように、本発明にかかるコンクリート埋設型設備器材の固定方法によれば、コンクリート埋設型設備器材が、アンカー部材１０の雌螺子孔１１に螺合した固定螺子６によってコンクリートｐの装入凹所２２内に着脱可能に固定されていることにより、建造物の解体時において、前記固定螺子６を取り外せば、コンクリート埋設型設備器材をコンクリートｐから簡単に分離させることができる。これにより、建築解体廃棄物の分別を容易に行うことができ、分別したコンクリート埋設型設備器材の再資源化が可能となる。
【００５６】
また、本発明にかかるコンクリート埋設型設備器材の固定装置３２によれば、アンカー部材１０を裏面に保持したコンクリート埋設型設備器材を、コンクリート型枠９に仮固定した状態で、コンクリート埋設型設備器材の周囲にコンクリートを打設することにより、硬化したコンクリートｐ内に埋入されるアンカー部材１０によってコンクリート埋設型設備器材を取り外し可能に固定することができる。これにより、建造物の解体時において、前記アンカー部材１０に螺合されている固定螺子６を取り外せば、コンクリート埋設型設備器材をコンクリートｐから簡単に離脱させることができるので、この場合にあっても、建築解体廃棄物の分別を容易に行うことができ、分別したコンクリート埋設型設備器材の再資源化が図れる等の優れた効果がある。
【図面の簡単な説明】
【図１】本発明にかかるコンクリート埋設型設備器材の固定方法の第一実施例の、その施工工程のコンクリート打設前の状態を示す縦断面図である。
【図２】同上の施工工程のコンクリート打設後の状態を示す縦断面図である。
【図３】同上の施工工程のコンクリート埋設型設備器材を固定した状態を示す縦断面図である。
【図４】本発明にかかるコンクリート埋設型設備器材の固定方法の第二実施例の、その施工工程のコンクリート打設前の状態を示す縦断面図である。
【図５】同上の施工工程のコンクリート打設後の状態を示す縦断面図である。
【図６】同上の施工工程のコンクリート埋設型設備器材を固定した状態を示す縦断面図である。
【図７】本発明にかかるコンクリート埋設型設備器材の固定方法の第三実施例の、その施工工程のコンクリート打設前の状態を示す縦断面図である。
【図８】同上の施工工程のコンクリート打設後の状態を示す縦断面図である。
【図９】同上の施工工程のコンクリート埋設型設備器材を固定した状態を示す縦断面図である。
【図１０】本発明にかかるコンクリート埋設型設備器材の固定装置の第一実施例の、その施工工程のコンクリート打設前の状態を示す縦断面図である。
【図１１】同上の第一実施例の、コンクリート打設後の施工工程を示す縦断面図である。
【図１２】同上の第一実施例の、施工完了状態を示す縦断面図である。
【図１３】同上の第一実施例にかかるコンクリート埋設型設備器材の、コンクリートからの離脱操作手順を示す縦断面図である。
【図１４】本発明にかかるコンクリート埋設型設備器材の固定装置の第二実施例の、その施工工程のコンクリート打設前の状態を示す縦断面図である。
【図１５】同上の第二実施例の、コンクリート打設後の施工工程を示す縦断面図である。
【図１６】同上の第二実施例の、施工完了状態を示す縦断面図である。
【図１７】同上の第二実施例にかかるコンクリート埋設型設備器材の、コンクリートからの離脱操作手順を示す縦断面図である。
【図１８】従来構成の施工状態を示す縦断面図である。
【符号の説明】
１Ａ，１Ｂ  ドレイン本体（コンクリート埋設型設備器材）
１Ｃ  蓋受け枠（コンクリート埋設型設備器材）
２  ドレイン受皿
２ａ  水平縁部
２ｂ  垂直縁部
４  排水管部
６  固定螺子
７Ａ，７Ｂ，７Ｃ  抜き型体
１０  アンカー部材
１１  雌螺子孔
２２  装入凹所
３２  固定装置
ｐ  コンクリート
【図１】
0004317331.tif 000002
【図２】
0004317331.tif 000003
【図３】
0004317331.tif 000004
【図４】
0004317331.tif 000005
【図５】
0004317331.tif 000006
【図６】
0004317331.tif 000007
【図７】
0004317331.tif 000008
【図８】
0004317331.tif 000009
【図９】
0004317331.tif 000010
【図１０】
0004317331.tif 000011
【図１１】
0004317331.tif 000012
【図１２】
0004317331.tif 000013
【図１３】
0004317331.tif 000014
【図１４】
0004317331.tif 000015
【図１５】
0004317331.tif 000016
【図１６】
0004317331.tif 000017
【図１７】
0004317331.tif 000018
【図１８】
0004317331.tif 000019